(57)【特許請求の範囲】
【請求項１】
甲が長手方向および幅方向にそれぞれ湾曲する球面形状である胴と、前記胴の甲上に長手方向に離間されて配置された雲角および龍角と、前記雲角および前記龍角の間に張設された１３本の弦と、前記胴と前記各弦との間にそれぞれ立設された柱とを含む小型の箏において、
前記胴の長手寸法と幅寸法との比率が約４．２：１で、前記柱を立設させない状態において前記各弦が前記胴の甲に接触しない開放弦であることを特徴とする小型の箏。
【発明の詳細な説明】
【０００１】
【産業上の利用分野】
本発明は箏に係り、さらに詳しく言えば、携帯性，取り扱い性を向上させた小型の箏に関するものである。
【０００２】
【従来の技術】
日本古来の伝統楽器としては、例えば琴（こと）と呼ばれる楽器が知られている。しかしながら、本来は、６本あるいは７本の弦を有し、かつ、柱（じ）を用いない比較的小型の楽器を琴（きん）と呼び、１３本の弦を有し、かつ、柱（じ）を用いる比較的大型の楽器を箏（そう）と呼ぶのが正式とされている。
【０００３】
図８に箏（そう）８０を示す。箏８０は、略蒲鉾形状の胴（どう）８１と、胴８１の長手方向に離間配置された雲角（うんかく）８２および龍角（りゅうかく）８３と、雲角８２および龍角８３を介して張設された１３本の弦８４と、胴８１と各弦８４との間にそれぞれ立設された柱（じ）８５とを有している。
【０００４】
胴８１は当該胴８１の長手方向および幅方向にそれぞれ湾曲する球面形状の甲（こう）８１Ａと、甲８１Ａの幅方向両端部に設けられた一対の磯（いそ）８１Ｂ（一方のみ図示）と、各磯８１Ｂ間に掛け渡された裏板（うらいた）８１Ｃとにより形成されている。裏板８１Ｃの長手方向両端部には、それぞれ高さ寸法の異なる下足（しもあし）８６および上足（かみあし）８７が設けられている。
【０００５】
このため、胴８１は図中手前側に座る演奏者（図示せず）から見て、演奏者が演奏し易い左下がりに設置可能とされている。このような胴８１は例えば桐等の木製とされ、長手寸法Ｌが１８０〜１８４ｃｍ、幅寸法Ｗが２４〜２６ｃｍとされている。
【０００６】
１３本の弦８４は、図中奥から順に１の弦〜１０の弦，斗（と）の弦，為（い）の弦，巾（きん）の弦と呼ばれていて、雲角８２と龍角８３との間において並行に張設されている。弦８４の一端（雲角８２側端）は、雲角８２を越えた位置から他の弦８４の一端とともに結束されて裏板８１Ｃに固定されている。一方、弦８４の他端（龍角８３側端）は、龍角８３を越えた位置において甲８１Ａを貫通するとともに、胴８１内に設けられた巻き上げ手段８８によりそれぞれ個別に固定される。
【０００７】
巻き上げ手段８８としては、例えば胴８１内部を仕切る関板（せきいた）等に１３本のボルトを螺合しておき、各ボルトの径方向に貫通する貫通孔に弦８４の他端をそれぞれ挿通させ、各ボルトを回転させることにより各弦８４を巻き上げる構造等が採用されている。これらのような弦８４は、柱８５を立設させない状態では、球面形状の甲８１Ａに接触する。
【０００８】
柱８５は所定厚みを有する略Ａ字形状とされ、拡開する基部が甲８１Ａに当接するとともに、先細りの先端が弦８４を支持するように立設される。そして、これらの柱８５の立設位置を適宜選択することにより、龍角８３と柱８５との間の弦８４の長さを調節し、各弦８４の調弦が行われる。
【０００９】
【発明が解決しようとする課題】
ところで、従来の箏８０には、以下のような取り扱い上の不便さがある。すなわち、箏８０は胴８１の長手寸法が１８０〜１８４ｃｍであるため、大きな保管スペースが必要であるとともに、運搬を容易に行えない。
【００１０】
また、各弦８４を調弦するにあたっては、弦８４の張力や演奏場所の気温，湿度あるいは演奏する曲目や演奏者の好み等を考慮して、弦８４の張力を巻き上げ手段８８により調整するとともに、柱８５の立設位置を適宜選択する必要があり、初心者には難しい。
【００１１】
さらに、各弦８４は一端が一括して裏板８１Ｃに固定されている。このため、例えば破線した弦８４を交換して再張設する場合には、専門職に依頼するのが一般的であり、煩雑であった。そして、弦８４が１３本も用いられている関係上、演奏中、瞬時に各弦８４を判別しにくい。
【００１２】
一方、保管，運搬を容易に行うために、従来の箏８０の長手寸法および幅寸法を同比率で縮形した小型の箏が知られている。しかしながら、このような小型の箏では、長手寸法および幅寸法が同比率で縮小されているため、各弦同士の間隔が同比率で狭くなり演奏しにくいという問題がある。
【００１３】
本発明は、このような従来の問題を解決するためになされたもので、その目的は、保管や運搬が容易であるとともに演奏しやすく、しかも調弦を容易に行えるようにした総じて取り扱い性が良好な箏を提供することにある。
【００１４】
【課題を解決するための手段】
前記目的を達成するために、本発明は、甲が長手方向および幅方向にそれぞれ湾曲する球面形状である胴と、前記胴の甲上に長手方向に離間されて配置された雲角および龍角と、前記雲角および前記龍角の間に張設された１３本の弦と、前記胴と前記各弦との間にそれぞれ立設された柱とを含む小型の箏において、前記胴の長手寸法と幅寸法との比率が約４．２：１で、前記柱を立設させない状態において前記各弦が前記胴の甲に接触しない開放弦であることを特徴としている。
【００１５】
本発明において、前記柱を立設させない状態において前記各弦を前記胴に接触しない開放弦とするには、前記胴の長手方向に湾曲する甲の曲率を大きく設定するか、雲角および龍角のうち、少なくともいずれか一方の高さ寸法を大きくすればよい。
【００１６】
本発明によれば、胴の長手寸法と幅寸法との比率が約４．２：１で、胴の長さが従来の古典的な箏に比べてほぼ１／２であるため、保管や運搬が容易である。また、胴の幅は従来の古典的な箏の幅と実質的に同じであるため、演奏がしやすい。さらには、柱を立設させない状態において各弦が胴に接触しない開放弦であるため、調弦にあたって柱を立設する必要がなくなる。
【００１７】
【実施例】
以下、本発明の実施例を図面に基づいて説明する。図１には本発明に係る一実施例の箏１０が示されている。この箏１０は、略蒲鉾形状に形成された桐製の胴１１と、胴１１の長手方向に離間配置された雲角１２および龍角１３と、雲角１２および龍角１３を介して張設された１３本の弦１４（１４Ａ〜１４Ｍ）と、胴１１と各弦１４（１４Ａ〜１４Ｍ）との間にそれぞれ立設された柱１５とを有している。
【００１８】
胴１１は、当該胴１１の長手方向および幅方向にそれぞれ湾曲する球面形状の甲１１Ａと、甲１１Ａの幅方向両端部に設けられた一対の磯１１Ｂ（図中手前側のみ図示）と、各磯１１Ｂ間に掛け渡された略長方形状の裏板１１Ｃとにより形成されている。
【００１９】
このような胴１１は、例えば長手寸法Ｌが８７ｃｍ，幅寸法Ｗが２０．５ｃｍとされていて、従来の箏の胴に比較して小さく形成されている。そして、従来の箏では胴の長手寸法と幅寸法との比率が約７：１であったのに対し、本実施例の箏１０では胴１１の長手寸法Ｌと幅寸法Ｗとの比率が約４．２：１とされている。
【００２０】
図２に簡略して示すように、甲１１Ａにおける長手方向の曲率は、柱１５を立設させない状態でも、各弦１４（１４Ａ〜１４Ｍ）が雲角１２と龍角１３との間において当該甲１１Ａに接触しないように設定されている。したがって、各弦１４（１４Ａ〜１４Ｍ）は、開放弦とされている。
【００２１】
図１に戻って、裏板１１Ｃには、長手方向両端部にそれぞれ下足１６および上足１７が設けられている。上足１７は、下足１６よりも高さ寸法が大きく設定されている。したがって、胴１１は、図中左方側に座る演奏者（図示せず）から見て、演奏者が演奏し易いように、左下がりに設置可能とされている。なお、胴１１は、上足１７を折り畳んでも、裏板１１Ｃに取り付けられた略円錐形状の脚部材により水平に設置可能とされている。すなわち、胴１１は、演奏者の好み等に応じて、左下がり設置あるいは水平設置を選択できるようになっている。
【００２２】
弦１４は、図中奥から順に１の弦（１４Ａ）〜１０の弦（１４Ｊ），斗の弦（１４Ｋ），為の弦（１４Ｌ），巾の弦（１４Ｍ）と呼ばれ、雲角１２と龍角１３との間において互いに並行に張設されている。これらの各弦１４（１４Ａ〜１４Ｍ）は、両端がそれぞれ雲角１２および龍角１３を超えた個所で個別に固定されている。
【００２３】
なお、柱１５は従来の箏に用いられている柱と同様な所定厚みの略Ａ字形状とされ、胴１１に対応した大きさに形成されている。また、胴１１の雲角１２側端部には、装飾用の弦２０が張設されている。装飾用の弦２０は、雲角１２から胴１１の端部を経由し、裏板１１Ｃへ延びていて、当該部分が従来の箏と同様な外観となっている。
【００２４】
図３に示すように、各弦１４（１４Ａ〜１４Ｍ）の一端（雲角１２側の端部）は、雲角１２に形成され、甲１１Ａを貫通する貫通孔３０に挿通されている。貫通孔３０は甲１１Ａの幅方向に所定間隔で複数形成されていて、各弦１４（１４Ａ〜１４Ｍ）の一端がそれぞれ個別に挿通されている。
【００２５】
そして、弦１４の一端には、甲１１Ａの裏側（胴１０内部）において、係止部材３１が取り付けられている。係止部材３１は、例えば布を巻物状に巻回することにより挿通孔３０よりも大きく形成されていて、弦１４の一端が縛り付けられている。したがって、弦１４の一端は、係止部材３１により貫通孔３０から引き抜き不可能に固定されている。
【００２６】
一方、図４に示すように、弦１４の他端（龍角１３側の端部）は、巻き上げ手段４０により固定されている。巻き上げ手段４０は、従来の箏に採用されていた巻き上げ手段と同様とされ、胴１１内部を仕切る関板（せきいた）４１にボルト４２が１３本螺合されている。ボルト４２の軸部には、径方向に貫通する貫通孔が形成されている。
【００２７】
このような巻き上げ手段４０は、ボルト４２の貫通孔に弦１４の他端を挿通させた後、工具４３を用いてボルト４２を回転させることにより、弦１４を巻き上げ、かつ、一定の張力で固定可能とされている。
【００２８】
以上のような各弦１４（１４Ａ〜１４Ｍ）は、胴１１の長手寸法Ｌが従来の箏の胴の長手寸法に比較して短いため、従来の箏と同等な音質，音調等を得るために、従来の箏に用いられている弦に比較して太い弦が用いられている。そして、各弦１４（１４Ａ〜１４Ｍ）同士の間隔は、胴１１の幅寸法Ｗに対応し、かつ、演奏に支障が生じない任意間隔に設定されている。
【００２９】
図４に示すように、上足１７は、裏板１１Ｃの長手方向端部が一対の蝶番４４を介して胴１１の内外に出没可能とされている。この上足１７は略平板形状とされ、裏板１１Ｃと略同一面となる収納状態から裏板１１Ｃに対して略直角となる突出状態（図の状態）までの範囲で出没可能とされている。このような上足１７は、関板４１に設けられた固定部材であるストッパ４５により突出が保持される。
【００３０】
このような上足１７は、胴１１の外部に突出させることにより、ボルト４２の貫通孔に弦１４を挿通させやすくなり、かつ、工具４３によりボルト４２を回転させやすくなる。なお、胴１１の長手方向端部を覆う口前袋４６は、前述した上足１７の収納状態あるいは突出状態に関わらず、取り付け可能とされている。
【００３１】
弦を省略した図５に示すように、磯１１Ｂには、柱１５の立設位置を示す位置表示５０が設けられている。位置表示５０は、略横長方形の台紙に平調子および乃木調子に対応した各柱１５の立設位置を示す「１」〜「１０」，「斗」，「為」，「巾」の文字が印刷されている。この位置表示５０の台紙は、好ましくは透明な粘着シールとされ、磯１１Ｂの所定位置に貼着することにより、各柱１５の立設位置を表示するとともに、磯１１Ｂの木目等が透けて見えるようになっている。
【００３２】
このような位置表示５０は、あらかじめ各弦１４（１４Ａ〜１４Ｍ）が互いに等しい張力で張設されていれば、「１」〜「１０」，「斗」，「為」，「巾」の文字に対応する位置にそれぞれ柱１５を立設させ、その先端で各弦１４（１４Ａ〜１４Ｍ）を支持させることにより、平調子あるいは乃木調子に調弦されるようになっている。
【００３３】
図６には、演奏者の視点から見た箏１０が示されている。この図に示すように、甲１１Ａには、各弦１４（１４Ａ〜１４Ｍ）の名称を示す名称表示６０が龍角１３に沿って設けられている。図７に示すように、名称表示６０は、略縦長方形の台紙に不等間隔で「１」〜「１０」，「斗」，「為」，「巾」の文字が印刷されている。これらの文字は、「１」の文字と「２」の文字との間隔よりも「為」の文字と「巾」の文字との間隔が大きくなるように各文字の間隔が段階的に広く設定されている。
【００３４】
このような名称表示６０は、図６に示すように、演奏者が各弦１４（１４Ａ〜１４Ｍ）を注視したときに、それぞれ対応する文字が各弦１４（１４Ａ〜１４Ｍ）の後方に位置するようになっている。換言すれば、名称表示６０における「１」〜「１０」，「斗」，「為」，「巾」の文字は、各弦１４（１４Ａ〜１４Ｍ）を注視する演奏者の視線延長線上に設けられている。
【００３５】
次に、本実施例の箏１０の取り扱い方法を説明する。なお、各弦１４（１４Ａ〜１４Ｍ）は、一端をそれぞれ挿通孔３０に挿通させて係止部材３１により固定し、他端を巻き上げ手段４０により所定の張力で張設し、固定されているものとする。
演奏に先だっては、巻き上げ手段４０により、開放音が例えば「Ｅ」の音程になるように各弦１４（１４Ａ〜１４Ｍ）を張設する。この際、各弦１４（１４Ａ〜１４Ｍ）が開放弦であるため、甲１１Ａ上に柱１５を立設させる必要はない。
【００３６】
各弦１４（１４Ａ〜１４Ｍ）の張弦にあたっては、演奏する曲目（平調子，乃木調子）に応じて、位置表示５０に印刷された「１」〜「１０」，「斗」，「為」，「巾」の文字に対応する甲１１Ａ上の所定位置にそれぞれ柱１５を立設させ、これらの柱１５の先端部に各弦１４（１４Ａ〜１４Ｍ）を支持させる。これにより箏１０の張弦が完了する。
【００３７】
そして、特定の弦１４が破線した場合には、破線した弦１４のみを交換，再張設，再張弦すればよく、他の弦１４を再張設，再張弦する必要はない。なお、位置表示５０は、透明な粘着シールに文字や記号等が印刷されているため、胴１１の木目等が透けて見え、箏１０の外観性を阻害することはない。
【００３８】
次に、演奏者の好み等により胴１１を左下がり設置する場合には、胴１１から口前袋４６を一時的に取り外し、上足１７を胴１１から突出させた後、胴１１に口前袋４６を取り付ける。これにより、演奏中の胴１１は、演奏者が演奏しやすい左下がりに設置されるとともに、巻き上げ手段４０が口前袋４６に覆われて外部露出することはない。
【００３９】
演奏にあたっては、各弦１４（１４Ａ〜１４Ｍ）同士の間隔が胴１１の幅寸法に対応した間隔に設定されているとともに、各弦１４（１４Ａ〜１４Ｍ）が甲１１Ａに設けられた名称表示６０により瞬時に判別できるため、演奏に支障が生じることはない。なお、名称表示６０は、透明な粘着シールに文字が印刷されているため、胴１１の木目等が透けて見え、箏１０の外観性を阻害することはない。
【００４０】
以上のような本実施例によれば、従来の箏では胴の長手寸法と幅寸法との比率が約７：１であったのに対し、胴１１の長手寸法Ｌと幅寸法Ｗとの比率が約４．２：１とされているため、従来の箏に比較して小型化されているにも関わらず、各弦１４（１４Ａ〜１４Ｍ）同士の間隔を演奏に支障が生じないような間隔に設定できる。
【００４１】
また、各弦１４（１４Ａ〜１４Ｍ）が開放弦であるため、柱１５を甲１１Ａ上に立設させることなく、同一音程になるように張設できる。なお、前述した本実施例では、各弦を開放弦とするために、甲の曲率を大きく設定したが、雲角および龍角の高さ寸法を大きく設定してもよい。
【００４２】
【発明の効果】
以上説明したように、本発明によれば、甲が長手方向および幅方向にそれぞれ湾曲する球面形状である胴と、前記胴の甲上に長手方向に離間されて配置された雲角および龍角と、前記雲角および前記龍角の間に張設された１３本の弦と、前記胴と前記各弦との間にそれぞれ立設された柱とを含む小型の箏において、前記胴の長手寸法と幅寸法との比率が約４．２：１で、前記柱を立設させない状態において前記各弦が前記胴の甲に接触しない開放弦としたことにより、保管や運搬が容易であるとともに演奏しやすく、しかも調弦を容易に行うことができる、総じて取り扱い性が良好な箏が提供される。
【図面の簡単な説明】
【図１】本発明の一実施例を示す全体斜視図である。
【図２】弦が開放弦であることを示す模式図である。
【図３】各弦の一端を示す要部斜視図である。
【図４】上足および固定手段を示す要部斜視図である。
【図５】磯に設けられた柱の位置表示を示す要部斜視図である。
【図６】甲に設けられた弦の名称表示を示す要部斜視図である。
【図７】名称表示を示す平面図である。
【図８】従来の箏を示す全体斜視図である。
【符号の説明】
１０  箏
１１  胴
１１Ａ  甲
１１Ｂ  磯
１１Ｃ  裏板
１２  雲角
１３  龍角
１４  弦
１５  柱
１６  上足
１７  下足
２０  装飾用の弦
３１  係止部材
４０  巻き上げ手段
４５  固定手段であるストッパ
５０  柱の位置表示
６０  各弦の名称表示
Ｌ    長手寸法
Ｗ    幅寸法
【図１】
0003542849.tif 000002
【図２】
0003542849.tif 000003
【図３】
0003542849.tif 000004
【図４】
0003542849.tif 000005
【図５】
0003542849.tif 000006
【図６】
0003542849.tif 000007
【図７】
0003542849.tif 000008
【図８】
0003542849.tif 000009